(57)【特許請求の範囲】
【請求項１】
カラーフィルター層を有する液晶表示パネルと、前記液晶表示パネルの背面に設けられ
たバックライトと、前記バックライトの後方に配された回転表示体と、前記液晶表示パネ
ルに設けられ、該液晶表示パネルの前方から前記回転表示体を見えるようにするための透
視部を有する液晶表示機能付き遊戯装置において、
前記カラーフィルター層は、前記透視部に位置する第１部分のカラーフィルター層と透
視部以外の第２部分のカラーフィルター層の透光性が異なっており、
前記透視部に位置する前記第１部分のカラーフィルター層は、前記透視部以外の前記第２部分のカラーフィルター層と同じ厚さであり、
前記透視部に位置する前記第１部分は、各サブピクセル単位で前記カラーフィルター層に孔が設けられて前記カラーフィルター層の占める面積が小さくなされており、前記孔には透明部材が充填され、
前記サブピクセル毎にブラックマトリクスで囲まれており、
前記透視部に位置する前記ブラックマトリクス上の前記第１部分どうしの間にも前記透明部材が配置されていることを特徴とする液晶表示機能付き遊戯装置。
【請求項２】
前記液晶パネルの前記背面側にはプリズムシートおよび拡散シートを積層してなる光学シートが配置されており、
前記透視部は前記光学シートに形成された開口部を含んでなることを特徴とする請求項１に記載の液晶表示機能付き遊戯装置。
【発明の詳細な説明】
【技術分野】
【０００１】
本発明は、液晶表示機能付き遊戯装置に関し、特に装飾やゲーム内容を表示するカラーフィルターを積層した液晶表示パネルの背面にバックライトを設け、液晶表示パネルに該液晶表示パネルの前方からバックライトの後方に配された回転表示体を見えるようにするための透視部を設けてなる液晶表示機能付き遊戯装置に関するものである。
【背景技術】
【０００２】
遊戯装置であるスロットマシンは、例えば３個の回転表示体を化粧板に形成した開口部を介して前面から見えるようにし、回転表示体に施した絵柄や数字等のシンボルマークを所定の組み合わせになるように操作して楽しむものである。具体的には、遊戯者が回転表示体を高速に回転させた後に手動で適宜に停止させて目的とするシンボルマークの組み合わせを得て楽しむものである。
【０００３】
近年のスロットマシンは、化粧板に施された装飾を変化させたり、ゲーム内容を表示するために液晶表示部が備えられている。例えば、下記の特許文献１にはゲームの目的とする入賞の組み合わせに該当する絵柄を遊戯者に分かりやすく表示できるようにしたスロットマシンが開示されている。この特許文献１に開示されているスロットマシンの表示面は、液晶シャッターにて形成される表示窓と、その表示窓を透明とするか不透明とするかの制御を行わせるための制御部とからなり、表示窓は絵柄を施した回転リールの前方に位置し、その表示窓を介してそれぞれの回転リールの絵柄が見えるように形成されている。
【０００４】
前記制御部は、液晶シャッターである表示窓を透明とするか不透明とするかについて、回転リールの各絵柄毎に制御できるように形成され、且つ、入賞の組み合わせの絵柄に対応する表示窓の区分のみを透明とすることができるように制御可能にしたものである。
【０００５】
この場合、表示窓は回転リールの前方に位置し、その表示窓には各回転リールの絵柄が３個ずつ、即ち９個の絵柄が見えるように形成されているので、前記制御部は表示窓の９箇所を個別に制御することができるようになっている。
【０００６】
このスロットマシンにおいて、前記制御部は、ゲーム開始時には表示窓の全ての部分を透明とするように制御し、ゲーム終了時に入賞の絵柄の組み合わせがある場合にはこの部分のみ透明とし、入賞の組み合わせに無関係な絵柄に対応する表示窓の部分を不透明にするように制御する。この従来のスロットマシンの液晶表示パネルは、単に液晶シャッターとして使用され、遮光状態及び透光状態に制御されるのみである。
【０００７】
一方、下記特許文献２には、スロットマシンの前面の装飾を変化させたりゲーム内容を表示するために液晶表示装置を備えたものが開示されている。
【０００８】
この従来技術のスロットマシンにおける液晶表示パネルは、スロットマシンのゲームに関連した次の（１）〜（３）等の各種表示を行うことができるようになっている。
（１）ゲームの開始前に、ゲーム方法等の各種インフォメーションを液晶表示できるようにしたこと。
（２）メダルの投入枚数に応じて従来の固定ラインを廃し、新たに設けた有効ラインを遊戯者に見易く表示できるようにしたこと。
（３）従来の回転リールを使用したゲームに加え、液晶を利用した別遊戯ができるようにしたこと。
【０００９】
すなわち、下記特許文献２に開示されているスロットマシンにおける液晶表示パネルは、スロットマシンのセンターパネル裏面のほぼ全体にわたって配置され、この液晶表示パネルの裏面には該液晶表示パネルを裏面から照明するバックライトユニットが配置され、また、このバックライトユニットは３個の表示窓を除き液晶表示パネルの裏面の略全体にわたって配置された面発光板及び該面発光板の端面に配置された蛍光灯とからなっている。
【００１０】
従って、このスロットマシンでは、面発光板を各表示窓の位置を除いて配置したことから、液晶表示パネルの状態の如何にかかわらずスロットマシンの内部に配置された各回転リールのシンボルマークをセンターパネルを介してスロットマシンの前面より見ることができるようになされている。
【００１１】
このスロットマシンの液晶表示パネルでは、前記（１）の場合は、まず、ゲーム開始前に液晶を遮光状態とする。このため、センターパネルの前面からは、各回転リールのシンボルマークが見えない。この遮光状態においては、その遮光面の液晶表示パネルにゲームの使用方法等の各種のインフォメーションを表示することが可能である。
【００１２】
また、前記（２）の場合は、メダルを投入する等してゲーム開始となると、表示窓の液晶部分が透光状態となる。このため、センターパネルの前面より、内部の各回転リールのシンボルマークを見ることができる。これに加え、液晶の表示面の一部に投入されたコイン数に対応した有効ラインを表示する。この有効ラインは一回のゲームでのメダルの投入枚数によって異なるようにすることができる。
【００１３】
前記（３）の場合は、例えばゲーム終了の結果、特別の入賞態様になったときに、表示窓の部分を遮光状態とし、その遮光面において別遊戯を自由に表示することができる。
【００１４】
一方、本出願人は、特願２００３−２８８３１２号として、カラーフィルターを設けた液晶表示器を有する遊戯装置用表示器に関する発明（以下、先願発明という）を特許出願している。この先願発明は、液晶表示器の後方に表面に絵柄、数字を施した回転表示体を配し、この回転表示体を液晶表示器の前方から判読するための構成として、液晶表示器には透視部を設けている。
【００１５】
併せて、遊戯用としての目的のために、透視部を除いた液晶表示器の部分には表示内容を可変して表示する装飾用表示部が設けられている。また、装飾用表示部と透視部とはそれぞれ構成を異にするカラーフィルターを有するものである。
【００１６】
この先願発明においては、遊戯前は、液晶表示器が装飾用表示部においてカラーによる可変表示を行なうが、透視部においては不透明となり回転表示体が目視できないようになっている。遊戯開始後は、透視部が透光状態となって回転表示体を目視できるように駆動される。この際の透視部におけるカラーフィルターによる色付けの影響は、Ｒ、Ｇ、Ｂのサブピクセルが極めて小さいために遊戯者にとっては全体的に白っぽく見えるだけである。
【特許文献１】特開平４―２２０２７６号公報（段落〔０００５〕〜〔０００６〕、段落〔０００８〕）
【特許文献２】特開平７−１２４２９０号公報（段落〔０００４〕〜〔０００８〕、段落〔００２０〕〜〔００２６〕及び段落〔００２８〕）
【発明の開示】
【発明が解決しようとする課題】
【００１７】
このようにスロットマシンの使用状況に応じて液晶表示パネルの表示状態を変更させる技術が知られている。しかしながら、前記特許文献２に示す従来技術にあっては、表示窓を用いてカラー表示を行なうことにより多くの表示を可能としたとしても、ゲーム中に表示窓を形成して回転リールのシンボルマークを見る場合には、カラーフィルター層の存在により透光性が悪く、そのため、ゲーム中の回転リールのシンボルマークが見難くなってしまう。従って、ゲーム中に高速に変化するシンボルマークを注視する遊戯者にとっては極めて大きな問題点となっている。
【００１８】
一方、前記先願発明にあっては、液晶表示器を装飾表示部と透視部とによって形成してそれぞれを独立に駆動させることができるとしても、前記特許文献２に示す従来技術と同様に、透視部を透光状態にしたときのカラーフィルター層の透光性に対する悪影響を解決するには至っていない。加えて、遊戯装置の種類によっては、透視部の表示を強調するためや鮮明に表示するために所望の色の濃さでカラー表示を行いたいという要求もある。
【００１９】
そこで、本発明は、従来の問題点を排除し、ゲーム開始前には液晶表示パネルの全面に亘ってカラーで所望の表示を行ない、ゲーム開始後には透視部から後方にある回転表示体を見易くしたり、所望に応じて透視部のカラー表示を強調して表示し得る液晶表示機能付き遊戯装置を提供することを目的とする。
【課題を解決するための手段】
【００２０】
前記課題を解決するために、本願の請求項１に係る液晶表示機能付き遊戯装置の発明は、カラーフィルター層を有する液晶表示パネルと、前記液晶表示パネルの背面に設けられたバックライトと、前記バックライトの後方に配された回転表示体と、前記液晶表示パネルに設けられ、該液晶表示パネルの前方から前記回転表示体を見えるようにするための透視部を有する液晶表示機能付き遊戯装置において、前記カラーフィルター層は、前記透視部に位置する第１部分のカラーフィルター層と透視部以外の第２部分のカラーフィルター層の透光性が異なっており、前記透視部に位置する第１部分のカラーフィルター層は、前記透視部以外の第２部分のカラーフィルター層と同じ厚さであり、前記透視部に位置する第１部分のカラーフィルター層にはサブピクセル単位で孔が設けられ、前記孔は前記サブピクセルの略中央に形成されており、前記孔内には透明部材が充填されて前記サブピクセル全体にわたり均一な厚さとされ、前記サブピクセルを囲んで設けられるブラックマトリクスは、前記透視部に位置する第１部分のカラーフィルター層よりも薄い厚さで形成されており、前記透視部に位置する第１部分の前記ブラックマトリクスと前記カラーフィルターとの間に前記透明部材が充填されて、前記第１部分全体にわたり均一な厚さとされていて、前記液晶パネルの前記背面側には、前記透視部に位置する第１部材に対応する位置に、プリズムシートおよび拡散シートを積層してなる光学シートが配置されていることを特徴とする。
【００２１】
また、本願の請求項２に係る補正は、前記請求項１に記載の液晶表示機能付き遊戯装置において、前記液晶パネルの前記背面側には、前記透視部に位置する第１部材に対応する位置に、プリズムシートおよび拡散シートを積層してなる光学シートが配置されていることを特徴とする。
【発明の効果】
【００２６】
本願発明は上記の構成を備えることにより以下のような優れた効果を奏する。すなわち、本願の請求項１に係る液晶表示機能付き遊戯装置においては、液晶表示パネルに積層されているカラーフィルター層のうち、前記透視部に位置する第１部分と透視部以外の第２部分とは透光性が異なっており、しかも、液晶表示パネルは、透視部に位置する第１部分と透視部以外の第２部分の液晶表示を異ならせて表示できるから、ゲーム開始前には透視部に位置する第１部分に相当する液晶表示パネルをも含めて全面に亘って所望の表示、例えばゲーム方法、装飾等の表示を行ない、その際、透視部の表示を所望の色の濃さでカラー表示でき、ゲーム開始後には、液晶表示パネルの透視部に位置する第１部分を透明とすることができるようになるので、透視部を介して回転表示体が見えるようになる。
【００２７】
また、本願の請求項２に係る液晶表示機能付き遊戯装置によれば、透視部に位置する第１部分を薄くするという構成でカラーフィルターの透光性を良好にすることができるので、液晶表示パネルの後方に配置された回転表示体が液晶表示パネルの前方から明るい状態で見えるようになる。そのため、遊戯者は、ゲーム開始前には液晶表示パネルの全面に表示されたカラー表示による各種の表示を見てゲーム方法を認識してカラー装飾等を楽しむことができる一方で、ゲーム開始後にはカラーフィルターの影響の少ない表示用透視部を通して回転表示体のシンボルマークを確実に確認してゲームを楽しむことができるようになる。
【００２８】
また、本願の請求項３に係る液晶表示機能付き遊戯装置によれば、透視部に位置する第１部分を透視部以外の第２部分に比し薄くした分だけその空間を補充用透明材料で補っているので、カラーフィルター層全体の厚さに変化が生じないようにすることができる。従って、カラーフィルター部分、ガラス基板、偏光板等と共に一体に形成できるという効果を有すると共に、液晶表示パネル全体として共通の駆動回路でもって駆動することができるという効果を奏する。加えて、透視部以外の第２部分と透視部に位置する第１部分との境界には段差が生じないため、液晶表示パネル全体で表示を行なう際に、境界部分によって視覚的に悪影響を与えることが少なくなる。
【００２９】
また、本願の請求項４に係る液晶表示機能付き遊戯装置によれば、透視部に位置する第１部分では、単にカラーフィルター層に孔を開けてサブピクセル単位でカラーフィルター部分の占める面積を少なくすることによって、カラーフィルター層の透光性を良好にできるので、構成が簡単でありながら請求項２に係る発明と同等の効果を奏する液晶表示機能付き遊戯装置が得られる。
【００３０】
また、本願の請求項５に係る発明によれば、前記サブピクセル毎のフィルター層に形成した孔内に透明材料を充填して厚さが均一となるようにしたので、前記カラーフィルター部分の厚さが全面に亘り均一になり、前記請求項３に係る発明と同等の効果を奏する液晶表示機能付き遊戯装置が得られる。
【００３１】
更に、本願の請求項６に係る液晶表示機能付き遊戯装置よれば、透視部に位置する第１部分の厚さが他の領域よりも厚くなっているので、透視部の表示を強調ないしは鮮明に表示することができるようになる。
【発明を実施するための最良の形態】
【００３２】
以下、本発明の具体例を実施例及び図面を用いて詳細に説明する。まず、実施例１及び２に共通する液晶表示機能付き遊戯装置の液晶表示部の構成について図１〜図３を用いて説明する。なお、図１は本発明の実施例１における液晶表示機能付き遊戯装置の液晶表示部と回転表示体を示す斜視図、図２は図１の液晶表示部の透視部位置における縦断面図、図３は本発明の実施例１におけるカラーフィルター層の一部拡大正面図である。
【００３３】
図１及び図２において、遊戯装置であるスロットマシン本体は省略するが、スロットマシンの前面に設けた液晶表示部１０は、液晶表示パネル１１と、その背面側に配置されたプリズムシート１２及び拡散シート１３とを積層してなる光学シート１４と、この光学シート１４の背面側に配置されたバックライト１５と、これらを積層して一体化するための枠体１６及びケース１７とから構成されている。
【００３４】
バックライト１５は、背面に反射シート１８が配置された透明な材料からなる導光板１９と、この導光板１９の端面に対向して配置された蛍光灯からなる光源２０とから構成されている。この導光板１９自体の背面には乱反射のためのドットパターン（図示せず）が形成されており、反射シート１８と併せて導光板１９の側方から入射した光源２０からの光を前方に効果的に反射させるようになっている。この反射シート１８によって前方に反射された光は、光学シート１４において、まず拡散シート１３により全面に亘って均一な光量とされ、次にプリズムシート１２により液晶表示パネル１１に向かう指向性を有するものとされている。
【００３５】
一方、液晶表示パネル１１の裏側には３個のドラム状の回転表示体２２、２２’，２２”が配されている。これら回転表示体２２〜２２”はその周面に種々の絵柄、数字からなるシンボルマークが施され、且つそれぞれが独立に回転できるようになっている。これらシンボルマークは液晶表示部１０に形成された３個の透視部２３、２３’、２３”を介して液晶表示部１０の前方から見えるようになっている。
【００３６】
透視部２３〜２３”は、導光板１９の前方に位置する光学シート１４に形成した光学シート開口部２４と、導光板１９の後方に位置する反射シート１８に形成した反射シート開口部２５と、反射シート開口部２５に対応する導光板１９の背面にドットパターンを施さない面２６と、ケース１７に形成したケース開口部２７と、液晶表示パネルに形成された表示用透視部（図示せず）とからなっている。そして、これら透視部２３〜２３”、２５、２７の形状は矩形である。
【００３７】
また、液晶表示パネル１１は、ドライバーＩＣからなる駆動回路（図示せず）を有し、この駆動回路により種々の表示を行うと共に、表示用透視部の透明の度合いを制御するようになっている。
【００３８】
図３に、液晶表示パネル１１の表面の一部を拡大して示す。液晶表示パネルには、カラーフィルター層３０が設けられている。カラーフィルター層３０は画素毎に赤（Ｒ）、緑（Ｇ）、青（Ｂ）の色フィルター３０Ｒ、３０Ｇ、３０Ｂがストライブ配列されて形成され、カラーフィルター層を厚み方向で捉えた場合に、カラーフィルター部分という表現で表す。そして、Ｒ、Ｇ、Ｂの３つのサブピクセルで１つの画素を構成すると共に、画像をくっきりさせるためサブピクセル毎に遮光性のブラックマトリックス３１で囲んでいる。
【実施例１】
【００３９】
以下において、実施例１に係る液晶表示機能付き遊戯装置の液晶表示部１０のカラーフィルター部分の構成を図４及び図５を用いて詳細に説明する。実施例１における液晶表示機能付き遊戯装置の液晶表示部１０は、以上のような構成の液晶表示パネル１１において、液晶透視部に相当する部分を除く範囲のカラーフィルター部分を、透視部以外の第２部分３２とし、液晶透視部に相当する部分を“透視部に位置する第１部分”３４として形成し、透視部に位置するカラーフィルター部分３４を薄くしたものである。
【００４０】
実施例１に係る液晶表示パネル１１の透視部以外の第2部分３２の一部拡大断面図を図４に示す。この液晶表示パネル１１は、所定の間隔を置いて配された一対のガラス基板３５、３６と、一方のガラス基板３５の内面側に配された透視部以外の第2部分３２と、透視部以外の第2部分３２と他方のガラス基板３６とによって形成された間隙に封じ込まれた液晶層３７とから形成されている。そして、ガラス基板３５、３６の内面には駆動回路によって駆動される透明な共通電極（図示省略）及び画素電極３９が設けられている。また、ガラス基板３５、３６の表面には偏光板４０、４１が設けられている。なお、符号３１の部分は、ブラックマトリックス（図３参照）である。
【００４１】
また、実施例１に係る液晶表示パネル１１の透視部に位置する第1部分３４の一部拡大断面を図５（ａ）及び図５（ｂ）に示す。なお、図５（ａ）は透視部に位置する第１部分３４の表面に透明部材４２を配置したものを示し、図５（ｂ）は透視部に位置する第1部分３４と一方のガラス基板３５との間に透明部材４２を設けたものを示し、いずれも図４に記載のものと同一の構成部分については同じ参照符号を付与してその詳細な説明は省略する。
【００４２】
この透視部に位置する第1部分３４は、ガラス基板３５の内面側に配置されており、しかも、このカラーフィルター層の厚さＬ２は前記透視部以外の第2部分３２の厚さＬ１よりも薄く形成されている。そこで、その厚さの差を補うために、前記透視部に位置する第1部分３４は、透明部材４２を設けることにより、全体に亘り前記透視部以外の第2部分３２と同じ厚さＬ１となるようになされている。
【００４３】
透視部以外の第2部分３２と透視部に位置する第1部分３４の具体的な厚さの一例は次のとおりである。例えば、透視部以外の第2部分３２の厚さＬ１は良好なカラー表示を行なうために、通常使用されている範囲である１．２μｍ〜２．２μｍの範囲内で全面が均一となるように設定されている。一方、透視部に位置する第1部分３４の厚さＬ２は、カラー表示が一定以上の鮮明さを維持してなされると同時に、透光状態にしたときに高速で回転する回転表示体２２〜２２”のシンボルマークの認識が阻害されない程度の厚さとして、透視部以外のカラーフィルター部分の厚さの約半分程度、約０．６〜１．２μｍに設定されている。
【００４４】
このような実施例１の構成による液晶表示機能付き遊戯装置は、電源を投入したゲーム開始前では液晶表記部１０がバックライト１５による背面からの照明と駆動回路の駆動により液晶透視部も含めて全面的な表示を行なうことができる。この表示としては、変化する装飾模様、ゲーム方法の説明等をすることができ、液晶透視部においてもその透視部に位置する第1部分３４によってカラー表示がなされる。
【００４５】
その後、遊戯者がコインを投入してゲームを開始すると、液晶表示パネル１１の透視部２３〜２３”に相当する液晶が駆動回路によって透明になされ、透視部２３〜２３”が形成される。この透視部２３〜２３”は、既に開口が形成されている光学シート開口部２４、反射シート開口部２５、ケース開口部２７と共に形成されて、液晶表示部１０の前面から回転表示体２２〜２２”のシンボルマークが見えるようにしている。
【００４６】
次に、遊戯者は遊戯装置を操作して回転表示体２２〜２２”を回転させる。この操作によって遊戯者は、透視部２３〜２３”から高速で変化する回転表示体２２〜２２”のシンボルマークを監視し、その内の１つについてストップ操作を行なういわゆる目押し操作を行って回転を停止させる。以下順に他の回転表示体２２〜２２”を停止させ、それぞれの透視部２３〜２３”に所望のシンボルマークが表示されることを目標に操作してゲームを楽しむことができる。
【００４７】
従って、上述した本発明の実施例１においては、液晶表示パネル１１に設けられた透視部に位置する第1部分３４はカラーフィルター部分の厚さが透視部以外の第2部分３２に比べて薄いので透光性が良好となり、しかも駆動部によって透視部に位置する第1部分３４に対応する液晶表示パネル１１の表示を透視部以外の第2部分３２に相当する液晶表示パネル１１の表示とを異ならせて駆動することができる。
【００４８】
そのため、ゲーム開始前には透視部に位置するカラーフィルター領域３４に相当する液晶表示パネル１１をも含めて全面に亘ってゲーム方法、装飾等の表示を行ない、ゲーム開始後には、透視部に位置する第1部分３４に対応する液晶表示パネル１１を透明として透視部２３〜２３”を形成し、後方に配置された回転表示体２２〜２２”が液晶表示パネル１１の前方から明るい状態で見えるようになる。
【００４９】
従って、本実施例１の液晶表示機能付き遊戯装置においては、遊戯者はゲーム開始前には、液晶表示パネル１１の全面に表示されたカラー表示によるゲーム方法を認識し易く、またカラー装飾等を楽しむことができる。そして、ゲーム開始後には、カラーフィルター層の影響の少ない透視部２３〜２３”をとおして回転表示体２２〜２２”のシンボルマークを確実に確認し、ゲームを楽しむことができるようになる。
【００５０】
また、本実施例１の液晶表示機能付き遊戯装置は、透視部に位置する第1部分３４の透光性の増加が層を薄くすることにより達成でき、しかも、透視部に位置する第1部分３４を透視部以外の第2部分３２に比し薄くした分だけ透明部材４２を設けてカラーフィルター層３０の全体が同じ厚さとなるようしたので、カラーフィルター層３０、ガラス基板３５、偏光板４０等と共に一体に形成できるという効果を有すると共に、透視部に位置する第1部分３４に対して特別な補償を行う必要がなく、透視部に位置する第1部分と透視部以外の第２部分で表示の異なる液晶表示をすることができるという効果を奏する。加えて、透視部以外の第2部分３２と透視部に位置する第1部分３４との境界には段差が生じないため、ギャップ制御が容易で、液晶表示パネル全体で表示を行なう際に、境界部分によって視覚的に悪影響を与えることが少なくなる。
【実施例２】
【００５１】
実施例２は、上述のような液晶表示機能付き遊戯装置の液晶表示部１０の液晶表示パネル１１において、透視部に位置する第1部分３４に孔４５を設けたものである。この実施例２の透視部に位置する第1部分３４の一部拡大断面図を図６に示す。なお、実施例２においては透視部以外の第2部分３２の構成は実施例１の図４に示したものと同一であり、また、図６に記載の透視部に位置する第1部分３４については、図４に記載のものと同一の構成要素には同じ参照符号を付与することとしてその詳細な説明は省略する。実施例２においては、透視部に位置する第1部分３４の厚さは透視部以外の第2部分３２の厚さＬ１と同一であるが、各サブピクセル単位でカラーフィルター層に孔４５が設けられてカラーフィルター層の占める面積が小さくなされており、この孔４５には透明部材４２が充填されている。
【００５２】
このような実施例２の構成による液晶表示機能付き遊戯装置によれば、液晶表示パネル１１に設けられた透視部に位置する第1部分３４は、サブピクセル単位でカラーフィルター層の占有面積を低減して、透光性が透視部以外の第2部分３２よりも良好になるようにしたので、前述した実施例１の場合と同様に、遊戯者はゲーム開始前には液晶表示パネル１１の全面に表示されたカラー表示によるゲーム方法を認識し易く、またカラー装飾等を楽しむことができ、ゲーム開始後には透視部２３〜２３”をとおして高速に回転する回転表示体２２〜２２”のシンボルマークを確実に確認しながらゲームを楽しむことができるという両方の機能を達成できるようになる。
【００５３】
また、上記実施例２においては、透視部に位置する第1部分３４の透光性の増大が、単にサブピクセルにカラーフィルターに孔４５を形成し、この孔内に透明部材を充填するだけで達成され、しかも、透視部以外の第2部分３２と透視部に位置する第1部分３４との間の厚さに差異が生じないため、ギャップ制御が容易で、透視部に位置する第1部分３４に対して駆動する際に特別な補償を行う必要がなく、液晶表示パネル１１全体として共通の駆動回路でもって駆動することができるという効果を奏する。
【実施例３】
【００５４】
実施例３は、上述のような液晶表示機能付き遊戯装置の液晶表示部１０の液晶表示パネル１１において、透視部に位置するカラーフィル第1部分ター領域３４のカラー表示を強調するために、カラーフィルターの厚さＬ３を透視部以外のカラーフィルターの厚さＬ１よりも厚くしたものである。この実施例３の透視部に位置する第1部分３４の一部拡大断面図を図７に示す。なお、実施例３においては透視部以外の第2部分３２の構成は実施例１の図４に示したものと同一であり、また、図７に記載の透視部に位置する第1部分３４については、図４に記載のものと同一の構成要素には同じ参照符号を付与することとしてその詳細な説明は省略する。
【００５５】
実施例３においては、第1部分３４の厚さＬ３は、透視部以外の第2部分３２の厚さＬ１により変化するが、Ｌ３＞Ｌ１となる条件の基で、Ｌ３＝１．５μｍ〜２．２μｍの範囲で選択される。
【００５６】
この場合、透視部以外の第2部分３２と透視部に位置する第1部分３４の間に段差が生じるが、透視部以外の第2部分３２に、実施例１と同様の方法で、透明部材４２を配置することによって厚さが透視部に位置するカラーフィルター部分の厚さと同じＬ３となるようにしてもよい。
【００５７】
このような実施例３の構成による液晶表示機能付き遊戯装置によれば、液晶表示パネル１１に設けられた透視部に位置する第1部分３４は、サブピクセル単位でカラーフィルター部分の厚さが透視部以外の第2部分３２に比べて厚くなるようにしたので、この部分では色の濃い、鮮やかな色調のカラー表示を行うことができるようになる。
【００５８】
なお、上述した実施例１〜３にあっては、サブピクセルを囲んでブラックマトリックス３１を設けたものを示したが、このようなブラックマトリックス３１を設けないでカラーフィルター層３０を形成してもよい。
【図面の簡単な説明】
【００５９】
【図１】本発明の実施例１における液晶表示機能付き遊戯装置の液晶表示部と回転表示体を示す斜視図である。
【図２】図１の液晶表示体の透視部位置における縦断面図である。
【図３】本発明の実施例１におけるカラーフィルターの一層の拡大正面図である。
【図４】本発明の実施例１における液晶表示パネルの透視部以外の第2部分の一部拡大断面図である。
【図５】本発明の実施例１における液晶表示パネルの透視部に位置する第1部分の一部拡大断面図である。
【図６】本発明の実施例２における液晶表示パネルの透視部に位置する第1部分の一部拡大断面図である。
【図７】本発明の実施例３における液晶表示パネルの透視部に位置する第1部分の一部拡大断面図である。
【符号の説明】
【００６０】
１０    液晶表示部
１１    液晶表示パネル
１４    光学シート１４
１５    バックライト１５
１８    反射シート
１９    導光板１９
２０    光源２０
２２〜２２”  回転表示体
２３〜２３”  透視部
２４    光学シート開口部
２５    反射シート開口部
２７    ケース開口部
３０    カラーフィルター
３１    ブラックマトリックス
３２    透視部以外の第2部分
３４    透視部に位置する第1部分
３５、３６  ガラス基板
３７    液晶層
３８    共通電極
３９    画素電極
４０、４１  偏光板
４２    透明部材
４５、４５’  孔
【図１】
0004604518.tif 000002
【図２】
0004604518.tif 000003
【図３】
0004604518.tif 000004
【図４】
0004604518.tif 000005
【図５】
0004604518.tif 000006
【図６】
0004604518.tif 000007
【図７】
0004604518.tif 000008